(57)【要約】【課題】  屋外側から吹く風に対する高い耐風強度を得ることができると共に、良好な施工性も得ることができるバルコニー腰壁を提供することを課題とする。【解決手段】  バルコニーＡの外縁に沿って配設したバルコニー梁３から支柱４を複数立設し。支柱４の上端に横架材５を架設してバルコニー骨組２を形成し、横架材５に腰壁パネル６の木質の上枠材７を固定して形成するバルコニー腰壁１である。横架材５を、水平板状のウェブ８の両幅端にそれぞれ垂直板状のフランジ９を突設すると共に建物側のフランジ９に上方に延出した突出部１０を一体に形成してなる断面略Ｈ字状の金属材にて構成する。屋外側のフランジ９に上枠材７を載置すると共に上枠材７の背面を突出部１０の板面に屋外側から当接する。建物側からネジや釘等の固定具１１を打入して上枠材７と突出部１０とを固定する。【選択図】        図１
2007009441.tif 000002
【特許請求の範囲】
【請求項１】
バルコニーの外縁に沿って配設したバルコニー梁からバルコニー支柱を複数立設し、バルコニー支柱の上端に横架材を架設してバルコニー骨組を形成し、横架材に腰壁パネルの木質の上枠材を固定して形成するバルコニー腰壁であって、上記横架材を、水平板状のウェブの両幅端にそれぞれ垂直板状のフランジを突設すると共に建物側のフランジに上方に延出した突出部を一体に形成してなる断面略Ｈ字状の金属材にて構成し、屋外側のフランジに上枠材を載置すると共に上枠材の背面を突出部の板面に屋外側から当接し、建物側からネジや釘等の固定具を打入して上枠材と突出部とを固定したことを特徴とするバルコニー腰壁。
【発明の詳細な説明】
【技術分野】
【０００１】
本発明は、バルコニー腰壁に関し、詳しくは、バルコニー骨組の横架材への腰壁パネルの上枠体の固定構造に関するものである。
【背景技術】
【０００２】
従来から、バルコニー腰壁１は、図４のように、バルコニーＡの外縁に沿って配設したバルコニー梁３から支柱４を複数立設すると共に支柱４の上端に横架材５を架設してバルコニー骨組２を形成し、このバルコニー骨組２の横架材５に対して腰壁パネル６の木質の上枠材７を固定することで形成されている（たとえば特許文献１参照）。ここで、特許文献１の横架材５は、垂直板状のウェブ３０の上下端にそれぞれ水平板状のフランジ３１を屋外側に延設してなる屋外側に開口せる断面コ字状に形成されている。
【０００３】
ところで、屋外に設置されるバルコニー腰壁１には、面外方向からの力（たとえば矢印Ｗのように屋外側から吹く風による風圧）がかかるのであり、この力に対する強度が求められる。上記特許文献１の横架材５では、ウェブ３０が垂直板状に配置されていて、屋外側から吹く風による風圧（矢印Ｗ）をウェブ３０の板面部位で受けるようになっていることから、バルコニー腰壁１に高い強度を得るのに充分な構造ではなかった。しかして、本出願人は、本願発明に至る前に、面外方向からの力に対する高い強度を得るために、図５のように、水平板状にウェブ３２が配置されるような断面Ｈ字状に横架材５を形成することを想起した。
【０００４】
しかしながら、横架材５を断面Ｈ字状に形成したものでは、横架材５と上枠材７との固定構造としては、断面Ｈ字状の横架材５の上方に開口する上溝３３内に木桟材３４を嵌合し、この木桟材３４に木質の上枠材７を載置して上方からネジや釘等の固定具３５を打入するといったことで行われるのであり、つまり上枠材７と横架材５との固定のためだけの木桟材３４を用いなければならないことから施工性が良好とは言い難いものであった。また、上枠材７は横架材５や木桟材３４の上面に載置されるだけであるので、横架材５に対する位置決め施工が煩雑であり、この点においても施工性が良好とは言い難いものであった。また、腰壁パネル６と横架材５との連結は垂直に打入した固定具３５にて行われており、腰壁パネル６で受けた面外方向からの力の横架材５への伝達にあたっては、腰壁パネル６で受けた面外方向からの力が、垂直に打入した固定具３５における上枠材７と木桟材３４との境界部分に、せん断力として集中的に負荷してしまうものであり、すなわちバルコニー腰壁１に高い強度を得るのには依然として充分な構造とは言い難いものであった。
【特許文献１】特開２０００−８４７７号公報
【発明の開示】
【発明が解決しようとする課題】
【０００５】
本発明は上記の従来の問題点に鑑みて為したものであって、面外方向からの力に対する高い強度を得ることができると共に、良好な施工性も得ることができるバルコニー腰壁を提供することを課題とするものである。
【課題を解決するための手段】
【０００６】
上記課題を解決するために本発明のバルコニー腰壁は、バルコニーＡの外縁に沿って配設したバルコニー梁３から支柱４を複数立設し、支柱４の上端に横架材５を架設してバルコニー骨組２を形成し、横架材５に腰壁パネル６の木質の上枠材７を固定して形成するバルコニー腰壁１であって、上記横架材５を、水平板状のウェブ８の両幅端にそれぞれ垂直板状のフランジ９を突設すると共に建物側のフランジ９に上方に延出した突出部１０を一体に形成してなる断面略Ｈ字状の金属材にて構成し、屋外側のフランジ９に上枠材７を載置すると共に上枠材７の背面を突出部１０の板面に屋外側から当接し、建物側からネジや釘等の固定具１１を打入して上枠材７と突出部１０とを固定したことを特徴とする。
【０００７】
これによると、水平板状のウェブ８を有する断面略Ｈ字状に横架材５を形成したことから、バルコニー骨組２である横架材５に、面外方向の力（たとえば矢印Ｗのような屋外側から吹く風の風圧）に対する強度を確保することができ、また、腰壁パネル６の上枠材７を屋外側のフランジ９に載置すると共に、この上枠材７の背面を横架材５の建物側のフランジ９の上部に設けた突出部１０の板面に屋外側から当接し、建物側からネジや釘等の固定具１１を打入して上枠材７と突出部１０とを固定したことから、腰壁パネル６で受けた面外方向の力を、突出部１０を介して横架材５にて受けさせるようにできるのであり、すなわち、腰壁パネル６から横架材５への面外方向からの力の伝達がスムーズに行われ、この力を高い強度が確保されたバルコニー骨組２の横架材５にて受け得るようにできるのであり、バルコニー腰壁１に高い強度を確保することができるのである。また、横架材５の建物側のフランジ９に上方に延出した突出部１０を一体に形成し、屋外側のフランジ９に上枠材７を載置すると共に上枠材７の背面を突出部１０の板面に屋外側から当接し、建物側からネジや釘等の固定具１１を打入して上枠材７と突出部１０とを固定したことから、従来技術で説明した断面Ｈ字状の横架材５の上溝３３に嵌合する木桟材３４を使用しないで済むと共に、上枠材７の背面を突出部１０の板面に屋外側から当接して上枠材７の横架材５に対する位置決めもできるのであり、バルコニー腰壁１の施工性も向上できるのである。
【発明の効果】
【０００８】
本発明は、腰壁パネルから横架材への面外方向からの力（たとえば風圧）の伝達がスムーズに行われ、この力を高い強度が確保された骨組の横架材にて受け得るようにしたことから、バルコニー腰壁に面外方向からの力に対する高い強度を確保できるといった利点を有し、また、バルコニー腰壁を形成する際の腰壁パネルの上枠材の横架材への固定施工において、横架材の建物側のフランジに一体に形成した突出部に上枠材の背面を当接して建物側からネジや釘等の固定具を打入して上枠材と突出部とを固定したことから、上枠材の横架材への固定のためだけに用いる従来技術の木桟材を使用しない施工を行えると共に上枠材の横架材への位置決めも簡単に行えるのであって、これにより良好な施工性も得ることができるといった利点も有している。
【発明を実施するための最良の形態】
【０００９】
以下、本発明を添付図面に示す実施形態に基いて説明する。
【００１０】
図２及び図３のように、バルコニーＡの外縁に亙って立設されるバルコニー腰壁１はバルコニー骨組２に腰壁パネル６を取付けることで形成される。ここで、バルコニー骨組２は、強度に優れた金属製であり、バルコニーＡの外縁に亙って設けたバルコニー梁３から複数の支柱４を立設すると共に支柱４の上端に横架材５を架設することで形成される。また、腰壁パネル６は、上枠材７、下枠材１２及び縦枠材１３を矩形状に組み上げた木質の枠体１４を有し、枠体１４の屋外側に表面板材１５を固定すると共に枠体１４の建物側に背面板材１６を固定することで形成される。バルコニー腰壁１は、バルコニー梁３に腰壁パネル６の下枠材１２を載置して固定すると共に、横架材５に腰壁パネル６の上枠材７を載置して固定するといったように、バルコニー骨組２に腰壁パネル６が取付けられることで形成されているのである。なお、図中１７は建物Ｂから突設されたバルコニーＡの床を構成するバルコニー床材である。
【００１１】
詳しくは、本例の横架材５としては、図１のように、水平板状のウェブ８の両幅端にそれぞれ垂直板状のフランジ９を突設すると共に、建物側のフランジ９に上方に延出した突出部１０を一体に形成してなる断面略Ｈ字状に形成されている。背景技術の項でも述べたように、腰壁パネル６を支持する横架材５には、バルコニー腰壁１に面外方向からの力（以下、屋外側から吹く風による風圧（矢印Ｗ）を想定して説明する）に対する強度が求められるのであるが、本例の横架材５は水平板状のウェブ８を有するように形成されており、すなわち、バルコニー腰壁１に屋外側から吹く風による風圧に対してウェブ８の板面が平行にされているから、構造的に横架材５の面外方向からの力に対する強度（耐風強度）が向上されている。しかも、具体的に本例の横架材５は、水平板状のウェブ１８の両幅端から垂直板状のフランジ１９を延設した断面コ字状のチャンネル材２０を一対用いており、この一対のチャンネル材２０のウェブ１８同士を背中合わせにして溶着することで、全体形状として断面略Ｈ字状に形成させており、すなわち、簡単な構造でウェブ８を厚く形成させており、この点でも横架材５の耐風強度の向上が図られている。また、本例の腰壁パネル６の上枠材７の背面には、下方及び建物側に開口せる切欠２１が形成されている。なお、図中２１ａは上枠材７の背面の一部を構成する切欠２１の縦端面であり、２１ｂは切欠２１の上端面である。
【００１２】
また、バルコニー腰壁１は、図３のように、枠体１４の屋外側に表面板材１５を固定してなる半完成品の腰壁パネル６をその上枠材７の切欠２１に横架材５の突出部１０を挿入させるようにバルコニー骨組２に屋外側から近接させ、図１のように、上枠材７の切欠２１の縦端面２１ａを横架材５の突出部１０の板面に当接させ、上枠材７の切欠２１の上端面２１ｂを突出部１０の突出端面上に載置すると共に上枠材７の下面を屋外側のフランジ９上に載置し、建物側からネジや釘等の固定具１１を打入して上枠材７と横架材５の突出部１０とを固定することで半完成の腰壁パネル６をバルコニー骨組２に取付けるのであり、その後、背面板材１６を枠体１４の建物側に固定して腰壁パネル６を完成させることで形成される。詳しくは、本例では、上枠材７の切欠２１は横架材５の突出部１０と同寸法に形成され、上枠材７の背面及び横架材５の背面に当接するようにして背面板材１６を枠体１４に固定している。また、突出部１０は横架材５の長手方向に亙って形成され、突出部１０の長手方向に適宜間隔に皿ネジ用のザグリを備えた貫通孔２２が形成されると共に、上枠材７と突出部１０とを固定する固定具１１には皿ネジが用いられ、固定具１１の頭部を貫通孔２２のザグリに収納させて固定具１１の頭部が突出部１０よりも建物側に突出しないようにされている。また、上枠材７の上面には防水シート２３が被着され、上枠材７の上方には、上枠材７の上面に防水シート２３を間に介して取付用金具２４が載置固定され、この取付用金具２４にバルコニーＡの外縁に沿う笠木部材２５や手摺り２６が取付けられる。
【００１３】
上述のように本例のバルコニー腰壁１における上枠材７の横架材５への取付構造は、上枠材７の背面を横架材５の建物側のフランジ９の上部に設けた突出部１０の板面に屋外側から当接し、建物側からネジや釘等の固定具１１を打入して上枠材７と突出部１０とを固定した構造とされている。つまり、腰壁パネル６で受けた屋外側から吹く風の風圧に対して突出部１０の板面を直交する方向に向け、上記風圧を上枠材７から突出部１０を介して横架材５にて受けさせるようにできるのであり、すなわち、腰壁パネル６から横架材５への風圧の伝達がスムーズに行われるようにされている。ここで、横架材５は上述のように腰壁パネル６で受けた屋外側から吹く風の風圧に対してウェブ８が平行にされていて、上記風圧に対する耐風強度が向上されている。しかして、腰壁パネル６で受けた屋外側から吹く風の風圧は、高い耐風強度が確保されたバルコニー骨組２の横架材５にスムーズに伝達されて受け得るようにされているのであり、したがって、本例のバルコニー腰壁１には高い耐風強度が確保されているのである。
【００１４】
また、本例のバルコニー腰壁１における上枠材７の横架材５への取付構造にあっては、その施工性も、従来のものに比べて向上されているといった利点も有している。つまり、本例の上枠材７の横架材５への取付施工は、上述のように上枠材７と横架材５の突出部１０とを直接固定具１１にて固定させており、つまり、背景技術のような上枠材７と横架材５との固定のためだけの木桟材３４を使用しないで済むものとなっている点で、施工性が良好にされているのである。また、本例では、上枠材７の背面を横架材５の突出部１０に屋外側から当接させることで上枠材７の横架材５への位置決め（ひいては腰壁パネル６のバルコニー骨組２への位置決め）が簡単に為されるようにされており、背景技術のように横架材５に対する上枠材７の位置決めが煩雑でなく、施工性が良好にされているのである。なお、上記説明では、面外方向からの力として風圧を想定して説明をしたが、面外方向からの力としては他の要因による力も含まれるのは言うまでもない。
【図面の簡単な説明】
【００１５】
【図１】本発明の実施の形態の例の要部の側断面図（図２のＣ部分の拡大図）である。
【図２】同上のバルコニーの側断面図である。
【図３】同上のバルコニーの分解斜視図である。
【図４】従来技術の例のバルコニーの分解斜視図である。
【図５】本発明の前に本出願人が想起したバルコニー腰壁の要部の側断面図である。
【符号の説明】
【００１６】
１  バルコニー腰壁
２  バルコニー骨組
３  バルコニー梁
４  支柱
５  横架材
６  腰壁パネル
７  上枠材
８  ウェブ
９  フランジ
１０  突出部
１１  固定具
Ａ  バルコニー
【図１】
2007009441.tif 000003
【図２】
2007009441.tif 000004
【図３】
2007009441.tif 000005
【図４】
2007009441.tif 000006
【図５】
2007009441.tif 000007